(57)【特許請求の範囲】
【請求項１】
体積縮小状態に弾性圧縮可能な熱膨張性耐火材が、密封状態での袋内空気の脱気によって前記体積縮小状態に拘束される状態で可撓性気密袋に内装されているとともに、前記可撓性気密袋を密封状態と密封解除状態とに切り替える切り替え手段が設けられている開口部防火措置具を、区画体の貫通部とこれに挿通される貫通体との間の開口部に配置したのちに、前記可撓性気密袋を密封状態から密封解除状態に前記切り替え手段で切り替えることによって可撓性気密袋の最大容量範囲内で熱膨張性耐火材の体積を貫通体径方向に弾性復元させて、前記開口部を閉塞又はほぼ閉塞し、その後、前記可撓性気密袋を密封解除状態から密封状態に前記切り替え手段で切り替える開口部防火措置工法。
【発明の詳細な説明】
【技術分野】
【０００１】
本発明は、区画体の貫通部とこれに挿通される貫通体との間の開口部に開口部防火措置具を配備することで開口部を閉塞、又はほぼ閉塞する開口部防火措置工法に関する。
【背景技術】
【０００２】
この種の開口部防火措置具は、区画体の貫通部とこれに挿通される開口部を通じて火炎や煙が区画体側に侵入することを抑制する目的で開口部に配備されるもので、従来は、取り扱い易い適当な大きさで成形した難燃性発泡ポリウレタン等を主成分とする柔軟性の熱膨張性耐火ブロックをガラス繊維織物等の不燃性シートで被覆していた。
【０００３】
このような開口部防火措置具は、熱膨張性耐火ブロックを不燃性シートで被覆することによって、熱膨張性耐火ブロックに触れることなく取り扱うことを可能にして、施工中における熱膨張性耐火ブロックの欠損を抑制することができるとともに、その熱膨張性耐火ブロックの柔軟性によって、壁や床などの区画体の貫通部とこれに挿通されるケーブル等の貫通体との間の開口部に対して、複数の開口部防火措置具を開口部の一方側（例えば、貫通部の内周面側）に押し付けて開口部に隙間ができないように変形させながら順次に詰め込むことで、開口部を精度良く閉塞することを可能にして、このことにより、火災時に貫通体が熱融解又は焼失することで生じた隙間を熱膨張性耐火ブロックの熱膨張により迅速に閉塞して、開口部を通じて火炎や煙が区画体側に侵入することを効果的に抑制することを可能にしていた。
【発明の開示】
【発明が解決しようとする課題】
【０００４】
しかしながら、上記の如き従来の開口部防火措置具では、開口部を精度良く閉塞するのに、複数の開口部閉塞具を開口部の一方側に押し付けて開口部に隙間ができないように変形させながら順次に詰め込まなければならないために、複数の開口部防火措置具を開口部に配備させるまでに相当の時間がかかってしまうという問題があった。
【０００５】
また、開口部の閉塞精度が施工者の作業精度に完全に委ねられるため、施工者によって閉塞精度にバラツキが生じることを抑制することができず、そのことで、火災時に貫通体が熱融解又は焼失することで生じた隙間を閉塞するのに時間遅れが生じるなど、火災時の防火性能に対する信頼性も十分でないのが実情であった。
【０００６】
本発明は、上述の課題に鑑みて為されたものであって、区画体の貫通部とこれに挿通される貫通体との間の開口部に対して、簡単、且つ、短時間で、信頼性の高い防火措置を施すことのできる開口部防火措置工法を提供する点にある。
【課題を解決するための手段】
【０００７】
区画体の貫通部とこれに挿通される貫通体との間の開口部に配備される開口部防火措置具であって、
前記開口部への配備時における貫通体径方向で体積縮小状態に弾性圧縮可能な熱膨張性耐火材を構成する複数枚の可撓性の熱膨張性耐火シートが、隣接シート間での貫通体周方向での相対移動が可能な状態で貫通体径方向に積層されて、密封状態での袋内空気の脱気によって前記体積縮小状態に拘束される状態で可撓性気密袋に内装されているとともに、その可撓性気密袋の密封を解除することによって可撓性気密袋の最大容量範囲内で熱膨張性耐火材の体積を弾性復元させる耐火材復元手段が設けられていてもよい。
【０００８】
上記構成によれば、熱膨張性耐火材が体積縮小状態で内装されている可撓性気密袋を開口部に配置したのちに、耐火材復元手段によって熱膨張性耐火材の体積を貫通体径方向（つまり、開口部が閉塞される側）に弾性復元させることができるから、熱膨張性耐火材の弾性復元を見越して開口部にある程度隙間が生じることを許す状態で施工することが可能となり、このことにより、施工作業の簡略化、及び、施工時間の短縮化を図ることができるとともに、施工者によって開口部の閉塞精度にバラツキが生じることを抑制することができて、火災時の防火性能に対する信頼性も向上させることができる。しかも、施工前は熱膨張性耐火材が体積縮小状態にあるから、保管や搬送の面でも有利なものとすることができる。
【０００９】
また、前記耐火材復元手段が、前記可撓性気密袋を密封状態と密封解除状態とに切り替える切り替え手段であってもよい。
【００１０】
上記構成によれば、密封を解除することで熱膨張性耐火材を弾性復元させても切り替え手段によって再び密封状態にすることができるから、熱膨張性耐火材を弾性復元させて開口部に配備したのちに密封状態にすることで、熱膨張性耐火材が水に濡れてしまうことを防止することができ、このことにより、熱膨張性耐火材の水濡れに伴う所期性能の低下を防止することができる。
【００１１】
また、前記可撓性気密袋の外面の少なくとも一部が、前記区画体の貫通部、及び、前記貫通体に対する滑動又は摺動を抑制可能な粗面で形成されていてもよい。
【００１２】
上記構成によれば、開口部にある程度の隙間が生じることを許す状態、換言すれは、貫通部と貫通体の一方としか接触しない状態で配置された場合でも、区画体の貫通部又は貫通体に対する滑動又は摺動を抑制することができるから、熱膨張性耐火材が内装されている可撓性袋体が熱膨張性耐火材の弾性復元前に位置ズレを起こすことを抑制することができ、このことにより、施工作業の簡略化、及び、施工時間の短縮化を一層図ることができる。
【００１３】
また、前記熱膨張性耐火材が、貫通体径方向に可撓性の熱膨張性耐火シートを積層して構成されているとともに、前記可撓性気密袋の貫通体周方向長さが、前記熱膨張性耐火材の貫通体周方向長さよりも大なる長さで形成されていてもよい。
【００１４】
つまり、例えば、熱膨張性耐火材を一体成形することも考えられるけれども、その場合、貫通体の外周面に沿って曲げ変形させた際には、熱膨張性耐火材の内側部分と外側部分との曲径（又は、曲率）の相違によって、内側部分に周方向圧縮力が作用して内側部分が周方向に縮変形されるとともに、外側部分に周方向引張力が作用して外側部分が周方向に伸変形されるために、開口部防火措置具の径方向での弾性を十分に発揮させることができなくなり、そのことで、開口部の閉塞精度が低下してしまう。
【００１５】
それに対して、上記構成であれば、貫通体径方向に積層された可撓性の熱膨張性耐火シートを曲げ変形させて開口部に装備させた際に各シートが隣接シート間で周方向相対移動を行うことができるから、熱膨張性耐火材に貫通体周方向圧縮力、及び外側部分への貫通体周方向引張力が作用することがなく、貫通部と貫通体との間で径方向での弾性を十分に発揮させて貫通部の内周面、又は、貫通体の外周面の形状に対応させて変形させることができ、そのことで、開口部の閉塞精度を一層高いものとすることができる。
【００１６】
開口部防火措置工法において、上記の各構成のいずれかに記載の開口部防火措置具を前記開口部に配置したのちに、前記開口部防火措置具における熱膨張性耐火材の体積を弾性復元させて、前記開口部を閉塞、又はほぼ閉塞してもよい。
【００１７】
上記構成によれば、簡単な作業内容で、且つ、短い作業時間で区画体の貫通部とこれに挿通される貫通体との間口部に対して、信頼性の高い防火措置を施すことができる。
【００１８】
本発明の第１特徴構成は、開口部防火措置工法に係り、その特徴は、
体積縮小状態に弾性圧縮可能な熱膨張性耐火材が、密封状態での袋内空気の脱気によって前記体積縮小状態に拘束される状態で可撓性気密袋に内装されているとともに、前記可撓性気密袋を密封状態と密封解除状態とに切り替える切り替え手段が設けられている開口部防火措置具を、区画体の貫通部とこれに挿通される貫通体との間の開口部に配置したのちに、前記可撓性気密袋を密封状態から密封解除状態に前記切り替え手段で切り替えることによって可撓性気密袋の最大容量範囲内で熱膨張性耐火材の体積を貫通体径方向に弾性復元させて、前記開口部を閉塞、又はほぼ閉塞し、その後、前記可撓性気密袋を密封解除状態から密封状態に前記切り替え手段で切り替える点にある。
【００１９】
上記第１特徴構成によれば、熱膨張性耐火材が体積縮小状態にある開口部防火措置具を区画体の開口部に配置したのちに、可撓性気密袋の密封を解除して可撓性気密袋の最大容量範囲内で熱膨張性耐火材の体積を貫通体径方向に弾性復元させるだけの簡単な作業内容で、しかも、短い作業時間で区画体の貫通部とこれに挿通される貫通体との間口部に対して信頼性の高い防火措置を施すことができる。
【発明を実施するための最良の形態】
【００２０】
図１〜図５は、例えば、図６〜図１１に示すように壁Ｗや床Ｓなどの防火区画体に開口された貫通部、又は、図示しないが区画体に貫通固定された金属製スリーブをもって形成される貫通部など、区画体の貫通部Ｈとこれに挿通されるケーブルＫなどの貫通体との間の開口部Ｈａを閉塞するために、開口部Ｈａに配備される開口部防火措置具１を示し、２は、湾曲変形可能な可撓性と弾性圧縮可能な弾性とを備えた熱膨張性耐火材であり、耐火性材料、防音性材料の一例である断熱性を備えたロックウールを主体に熱膨張性材料の一例である未焼成バーミキュライト粉末を含有させて構成した熱膨張耐火シート２Ａを厚み方向（開口部Ｈａに配備するときの貫通体径方向）に複数枚積層して構成されている。
【００２１】
３は、可撓性と気密性を備える透光性ポリエチレンフィルムで熱膨張性耐火材２を内装可能な袋状に作製された袋体であり、熱膨張性耐火材２を挿入するための挿入口３Ａを除く収納空間周りの重合部分３ｃ、３ｄ、３ｅを熱溶着して構成されているとともに、その挿入口３Ａには、閉じることで挿入口３Ａを密栓可能なファスナー３Ｂが設けられている。
【００２２】
前記ファスナー３Ｂは、挿入口３Ａ周りの内側面における相対向する部分に、夫々、袋体３の横幅全域にわたる長さの一対の嵌合溝３ａと、これに気密状態で弾性嵌合可能な袋体３の横幅全域にわたる長さの一対の嵌合突条３ｂとが設けられているとともに、嵌合溝３ａの両端部、及び、嵌合突条３ｂの両端部とを弾性嵌合させた状態で、それらの部分を袋体３とともに熱溶着して密着させてあり、開閉操作によって袋体３の内部を密封状態と密封解除状態とに切り替え自在に構成されている。
【００２３】
前記ファスナー３Ｂを開いた状態（図２、図４）において、前記袋体３の設定厚み（貫通体径方向長さ）３Ｄが、熱膨張性耐火材２のシート積層厚み２Ｄよりも若干大なる長さで形成され、袋体３の幅（貫通体長さ方向長さ）３ｗが、熱膨張性耐火材２の幅２ｗよりも若干大に形成されているとともに、熱膨張性耐火材２を内装した状態で袋体３の長さ方向両端部と熱膨張性耐火材２の長さ方向（貫通体周方向）両端部２ｄとの間に夫々余剰空間Ｓ１、Ｓ２が形成されるように、袋体３の長さ方向長さ３ｌが熱膨張性耐火材２の長さ方向長さ２ｌよりも大なる長さで形成されていて、余剰空間Ｓ１、Ｓ２を用いて複数の熱膨張性耐火シート２Ａにおける隣接シート間での長さ方向相対移動を許容するとともに、余剰空間Ｓ１、Ｓ２に対応する袋体３の両側部分を、開口部防火措置具１を取り扱うための握持部に兼用構成してある。
【００２４】
前記袋体３の外周面は、エンボス加工を施して多数の凸部３ｆを有する粗面に形成してあり、貫通部Ｈの内周面、及び、ケーブルＫの外周面との接触状態において滑動又は摺動などの相対移動に対して抵抗力を付与できるようにしてある。
【００２５】
尚、挿入口３Ａは、熱膨張耐火材２の長さ方向端部に設けてあるが、後述する使用形態に応じて適宜変更すればよい。
【００２６】
そして、開口部防火措置具１は、熱膨張性耐火材２を内包する状態でファスナー３Ｂを閉じた密封状態で袋体３の袋内空気を脱気することによって、減圧による袋内容量の縮小により弾性圧縮した体積縮小状態（本実施形態では体積が約１／３の状態）で熱膨張性耐火材２を拘束させてあり（図１、図２、図４の状態）、ファスナー３Ｂを開き操作して袋体３の密封状態を解除することによって、袋体３の最大容量範囲内で熱膨張性耐火材２の体積を弾性復元させるようにしてある（図３、図５の状態）。
【００２７】
尚、本実施形態において、ファスナー３Ｂは本発明の第１特徴構成で云う耐火材復元手段に相当するとともに、本発明の第２特徴構成で云う切り替え手段に相当する。
【００２８】
本実施形態の開口部防火措置具１を製造するにあたって、袋体３の袋内空気を脱気するのに吸引ホースを備えた脱気装置を用いている。
具体的には、袋体３のファスナー３Ｂを開いて、挿入口３Ａを通じて熱膨張性耐火材２を内部に挿入したのちに、脱気装置の吸引ホースを挿入口３Ａから袋内に差し込んだ状態でファスナー３Ｂを閉じ操作することによって吸引ホースが差し込まれた部分を除く挿入口３Ａをほぼ密封し、その状態で脱気装置を作動させることにより袋内空気を脱気する。
【００２９】
そして、袋内空気の脱気が所望の状態まで完了したら、挿入口３Ａから吸引ホースを素早く抜き取り、ファスナー３Ｂを閉じ操作して挿入口３Ａを密封することで、袋体３の内部を脱気して熱膨張性耐火材２を体積縮小状態に維持する。
【００３０】
次に、本発明の開口部防火措置具１を開口部Ｈａに配備する開口部防火措置工法について使用例を挙げて説明する。尚、便宜上、開口部防火措置具１を構成する複数の熱膨張性耐火シート２Ａのうち、最も外側に位置するシートを外側シート２ａ、使用時に最も内側に位置するシートを内側シート２ｃ、それらの中間に位置するシートを中間シート２ｂとして説明する。
【００３１】
（ア）使用例１
図６、図７に示す使用例は、比較的少数のケーブルＫ用として壁Ｗに形成された小円形状の貫通部Ｈの内周面と複数本（本使用例では３本）のケーブルＫの外周面との間の円環状の開口部Ｈａに開口部防火措置具１を配備することにより開口部Ｈａを閉塞又はほぼ閉塞するもので、開口部防火措置具１は、その熱膨張性耐火材２の長さ方向長さ２ｌを、圧縮力が作用しない状態でケーブルＫの外周長さと同じ又は略同じ長さに形成してあり、ケーブルＫの外周面に沿って円筒状に曲げ変形させた際に内側シート２ｃの長さ方向両端部２ｄの端面同士が周方向から当接（接触）してケーブルＫの外周面を被覆できるようにしてある。
【００３２】
また、挿入口３Ａは、袋体３の短辺側である長さ方向端部に設けてあり、ファスナー３Ｂのファスナー長さを極力短くして、袋内を効率良く密封できるようにしてある。
【００３３】
まず、開口部防火措置具１をケーブルＫの外周面に沿って熱膨張性耐火シート２Ａの積層方向で円筒状に曲げ変形させた状態で開口部Ｈａ内に外方から挿入して開口部Ｈａ内に配置する（図６の状態）。このとき、開口部防火措置具１は、貫通部Ｈの内周面とケーブルＫの外周面とで挟持されていないが、その外面と貫通部Ｈの内周面との摩擦抵抗により、その位置を極力保持している。
【００３４】
次に、開口部防火措置具１の袋体３のファスナー３Ｂを開き操作する。この開き操作により袋体３の密封が解除され、上述のように袋体３の袋内容量の拡大に伴って熱膨張性耐火材２が貫通体径方向に自動的に弾性復元して、開口部Ｈａを閉塞又はほぼ閉塞する状態（図７の状態）にする。
【００３５】
尚、熱膨張性耐火材２の体積を弾性復元させたのち、再度、ファスナー３Ｂを閉じ操作して、袋体３の内部を密封することで、開口部Ｈａに配備された状態の開口部防火措置具１における熱膨張性耐火材２が水に濡れることを抑制し、熱膨張性耐火材２の水濡れを原因とする耐火性能や断熱性能などの所期性能の低下を抑制することができる。
【００３６】
ちなみに、開口部Ｈａに配備された開口部防火措置具１における熱膨張性耐火材２は、その外側シート２ａが中間シート２ｂに比して曲径が大きくなるために（換言すれば、曲率が小さくなるために）中間シート２ｂに比して、その長さ方向両端部２ｄが周方向中央寄りに相対移動しているとともに、内側シート２ｃが中間シート２ｂに比して曲径が小さくなるために（換言すれば、曲率が大きくなるために）中間シート２ｂに比して、その長さ方向両端部が周方向外方に相対移動しており、開口部防火措置具１には、開口部防火措置具１の弾性変形に対する拘束力となる周方向圧縮力や周方向引張力がほとんど作用していない状態にある。
【００３７】
そのため、径方向への弾性復元力によって開口部防火措置具１の貫通部Ｈａの内周面、及びケーブルＫの外周面の双方に接する部分（挟圧部２ｅ）が径方向に圧縮変形される一方で、貫通部Ｈの内周面、又はケーブルＫの外周面の双方に接していない部分、或いは貫通部Ｈの内周面、又はケーブルＫの外周面の一方に接する部分（非挟圧部２ｆ）には圧縮力が作用せず、非挟圧部２ｆは全く圧縮変形しないから、挟圧部２ｅが貫通部Ｈの内周面、及びケーブルＫの外周面に接するとともに、非挟圧部２ｆが貫通部Ｈの内周面、及びケーブルＫの外周面に極力近づいた状態を保持して開口部Ｈａに隙間ができることを抑制する。
【００３８】
（イ）使用例２
図８、図９に示す使用例は、多数のケーブルＫ用として壁Ｗに形成された矩形状の貫通部Ｈの内周面と多数のケーブルＫの外周面との間の開口部Ｈａに開口部防火措置具１を複数個配備させて開口部Ｈａを閉塞又はほぼ閉塞するもので、開口部防火措置具１は、開口部Ｈａの縦横の寸法に対応した取り扱い易い単一の大きさで形成されているとともに、その幅方向端部に挿入口３Ａを設けてある。
【００３９】
まず、開口部防火措置具１を開口部Ｈａ内に外方から挿入口３Ａが外方に向く状態で順次に挿入して開口部Ｈａ内に配置する（図８の状態）。このとき、開口部防火措置具１は、貫通部Ｈの内周面とケーブルＫの外周面とで挟持されていないが、その外面と貫通部Ｈの内周面、又は、ケーブルＫの外周面との摩擦抵抗により、その位置を極力保持している。
【００４０】
次に、全ての開口部防火措置具１の袋体３のファスナー３Ｂを開き操作する。挿入口３Ａは外方を望む状態で配置されているので、挿入口３Ａのファスナー３Ｂの開き操作を容易に行うことができる。
この開き操作により袋体３の密封が解除され、使用例１と同様に袋体３の袋内容量の拡大に伴って熱膨張性耐火材２が貫通体径方向に自動的に弾性復元して、開口部Ｈａを閉塞又はほぼ閉塞する状態（図９の状態）にする。
【００４１】
尚、使用例１と同様に、熱膨張性耐火材２の体積を弾性復元させたのち、再度、ファスナー３Ｂを閉じ操作して、袋体３の内部を密封することで、開口部Ｈａに配備された状態の開口部防火措置具１における熱膨張性耐火材２が水に濡れることを抑制し、熱膨張性耐火材２の水濡れを原因とする耐火性能や断熱性能などの所期性能の低下を抑制することができる。
【００４２】
（ウ）その他の使用例
前述の各使用例では、貫通部Ｈが壁Ｗに形成されている場合を例に挙げて説明したが、貫通部Ｈが床Ｓに形成されている場合に本発明を適用してもよい。その場合、開口部防火措置具１を開口部Ｈａに配置する前に、図１０に示す如く、開口部Ｈａにコの字状の受け金具５を設けることで、開口部防火措置具１の重力による位置ズレを抑止するようにしてもよい。
【００４３】
前述の使用例２では、多数のケーブルＫ用の矩形状の貫通部Ｈと多数のケーブルＫとの間の開口部Ｈａに対して、開口部防火措置具１を取り扱い易い適当な大きさに形成した場合を例に挙げて説明したが、図１１に示すように、開口部Ｈａの短片長さ、及び長辺長さに対応させた２種の大きさで形成することで、開口部防火措置具１の使用個数を少なくして開口部防火措置工程を短縮するようにしてもよい。
【００４４】
［別実施形態］
（１）前述の実施形態では、本発明の第１特徴構成における耐火材復元手段、及び、第２特徴構成おける切り替え手段として、挿入部３Ａを開閉可能なファスナー３Ｂを例に挙げて説明したが、前記耐火材復元手段としては、密封状態にした袋体３を容易に破れるようにするための切り込みなど、袋体３の密封を解除して熱膨張性耐火材２を弾性復元させることができればどのような構成であってもよく、また、前記切り替え手段としては、袋体３に形成した嵌合孔とこれを密栓可能な嵌合突起など、袋体３を密封状態と密封可能状態とに切り替えることができれば、どのような構成であってもよい。
【００４５】
（２）前述の実施形態では、耐火材復元手段、及び、切り替え手段としてのファスナー３Ｂを設けていた場合を例に挙げて説明したが、本発明の第６特徴構成の実施においては、ファスナー３Ｂは特に必要ではなく、袋体３を穿孔、破くなどにより容易に密封を解除できるようにしてあればよい。
【００４６】
（３）前述の実施形態では、熱膨張性耐火材２が、同一素材からなる熱膨張性耐火シート２Ａの複数を積層して構成されていたが、異なる種類の素材で構成した複数種のシートを積層して構成してもよい。
【００４７】
（４）前述の実施形態では、袋体３の外面にエンボス加工を施して粗面に構成してあったが、外面全てを粗面にする必要はなく、使用時に貫通体の内周面、又は、ケーブルＫの外周面に接する部分のうちの一部が粗面であればよい。
【００４８】
（５）前述の実施形態では、熱膨張性耐火材２を内包する袋体３の最大容量を、熱膨張性耐火材２の体積よりも大きく構成することで、袋体３の密封を解除したときに体積縮小状態にある熱膨張性耐火材２の体積を完全に復元させるように構成した場合を例に挙げて説明したが、袋体３の最大容量は、体積縮小状態にある熱膨張性耐火材２を弾性復元させることができるように、体積縮小状態にある熱膨張性耐火材２の体積よりも大きければ、どのような容量に構成してもよい。
【００４９】
（６）前述の実施形態では、熱膨張性耐火材２を、湾曲変形可能な可撓性と弾性圧縮可能な弾性とを備えるように構成した場合を例に挙げて説明したが、本発明の第１、第２、第３、第５、第６特徴構成の実施において、必ずしも湾曲変形可能な可撓性を備える必要はない。
【図面の簡単な説明】
【００５０】
【図１】本発明の開口部防火措置具の平面図
【図２】本発明の開口部防火措置具の長さ方向（貫通体周方向）側面断面図（図１のＩ−Ｉ線断面図）
【図３】熱膨張性耐火材の体積を弾性復元させた状態を示す長さ方向側面断面図
【図４】本発明の開口部防火措置具の幅方向（貫通体長さ方向）側面断面図（図１のＩＩ−ＩＩ線断面図）
【図５】熱膨張性耐火材の体積を弾性復元させた状態を示す幅方向側面断面図
【図６】使用例１において開口部防火措置具を開口部に配置した状態を示す正面図
【図７】使用例１において開口部防火措置具の熱膨張性耐火材を弾性復元させた状態を示す正面図
【図８】使用例２において開口部防火措置具を開口部に配置した状態を示す正面図
【図９】使用例２において開口部防火措置具の熱膨張性耐火材を弾性復元させた状態を示す正面図
【図１０】別の使用例の説明図
【図１１】別の使用例において開口部防火措置具の熱膨張性耐火材を弾性復元させた状態を示す正面図
【符号の説明】
【００５１】
Ｗ            壁（区画体）
Ｓ            床（区画体）
Ｈ            貫通部
Ｈａ          開口部
Ｋ            ケーブル（貫通体）
１            開口部防火措置具
２            熱膨張性耐火材
２ｌ          長さ方向長さ（貫通体周方向長さ）
２Ｄ          シート積層厚み（貫通体径方向長さ）
２Ａ          熱膨張性耐火シート
３            袋体（可撓性気密袋）
３ｌ          長さ方向長さ（貫通体周方向長さ）
３Ｂ          ファスナー（耐火材復元手段、切り替え手段）
３ｆ          凸部（粗面）
【図１】
0004829576.tif 000002
【図２】
0004829576.tif 000003
【図３】
0004829576.tif 000004
【図４】
0004829576.tif 000005
【図５】
0004829576.tif 000006
【図６】
0004829576.tif 000007
【図７】
0004829576.tif 000008
【図８】
0004829576.tif 000009
【図９】
0004829576.tif 000010
【図１０】
0004829576.tif 000011
【図１１】
0004829576.tif 000012